(57)【特許請求の範囲】
【請求項１】
多数の溝（２２）が互いに平行に形成された下地材（２０ｂ）上に長尺状の金属板（２６）を多数接続配置するようにした屋根などに用いられる外囲体において、前記各金属板（２６）の一側部に、それらの平板部（２６ａ）と平行な下位水平底壁部（２６ｅ）と前記溝（２２）と略同一幅を存して前記平板部（２６ａ）に対して直角に形成された一対の垂直壁部（２６ｃ）（２６ｄ）とで囲まれ上部が開放された凹入部（２８）と、該凹入部（２８）の外側端に前記平板部（２６ａ）の同一延長平面上に形成された側板部（２６ｂ）と、前記下位水平底壁部（２６ｅ）の略中央に立設された立ち上り部（２６ｆ）と、該立ち上り部（２６ｆ）の上部に前記平板部（２６ａ）に向けて該平板部（２６ａ）の延長平面上に屈折形成され先端が所定の隙間（Ｇ）を存して前記平板部（２６ａ）の側端部に対向する板端受部（２６ｇ）とを前記平板部（２６ａ）と一体的に設け、前記各金属板（２６）の他側部に、前記平板部（２６ａ）に対して下向き垂直に屈折した垂直板部（２６ｈ）と該垂直板部（２６ｈ）の下部にこれとの間でＶ字状を形成するように斜め内側上方に屈折させた引掛部（２６ｉ）と、前記垂直板部（２６ｈ）を境として前記平板部（２６ａ）の延長線上に所定長さ突出させた突出部（２６ｊ）とを一体的に設け、前記下地材（２０ｂ）の溝（２２）に金属板（２６）の前記凹入部（２８）を嵌合して該金属板（２６）を下地材（２０ｂ）上に載置し且つ該金属板（２６）の側板部（２６ｂ）を止着具によって下地材（２０ｂ）に固定する一方、該金属板（２６）に隣接して他の同一形状の金属板（２６）を下地材（２０ｂ）上に配置し、該他の金属板（２６）の他側部の引掛部（２６ｉ）をこれに隣接する金属板（２６）の凹入部（２８）上の隙間（Ｇ）から該凹入部（２８）内に押し込んで嵌め込み、前記他の金属板（２６）の引掛部（２６ｉ）の先端を隣接する金属板（２６）の板端受部（２６ｇ）の下面に係合させ、前記突出部（２６ｊ）の下面を前記隣接する金属板（２６）の平板部（２６ａ）の上面に重ねて当接配置させるようにしたことを特徴とする屋根などに用いられる外囲体。
【請求項２】
前記引掛部（２６ｉ）を前記隙間（Ｇ）から凹入部（２８）内に押し込んで嵌め込んだとき、引掛部（２６ｉ）との間でＶ字状部（３０）を形成する垂直板部（２６ｈ）の下端が前記凹入部（２８）の底面に当接するようにしたことを特徴とする請求項１に記載の屋根などに用いられる外囲体。
【請求項３】
前記隣接する金属板（２６）の平板部（２６ａ）に段差ｋを設けて段差面（２６ａ’）を形成し、該平板部（２６ａ）の段差面（２６ａ’）に前記突出部（２６ｊ）を重ねて嵌合配置し、前記突出部（２６ｊ）の上面と隣接する金属板（２６）の平板部（２６ａ）の上面とを同一平面上に配置したことを特徴とする請求項１に記載の屋根などに用いられる外囲体。
【発明の詳細な説明】
【０００１】
【発明の属する技術分野】
本発明は屋根や外壁などに用いられる外囲体に関する。
【０００２】
【従来の技術】
実公平６−４９７０６号公報には、図５に示すように、下地材２の溝４に板受部材６を固設し、該板受部材６の中央部に形成された引掛爪８に板固定子１０の脚部１０ａを嵌入し、引掛爪８の逆Ｖ字状の係合溝１２と板固定子１０の脚部１０ａの係合突起を係合させ、板固定子１０の板押面を、板受部材６に設けられた帯板状の板端受部１２上の、金属板から成る屋根板１４の側部の上面に圧接した屋根が開示されている。
【０００３】
【発明が解決しようとする課題】
上記屋根は、屋根板１４の側部が、屋根板１４とは別体の板受部材６の板端受部１２上面と、屋根板１４とは別体の板固定子１０の板押面とによって挾圧支持される構成と成っている。その為、屋根板結合部を構成する部品点数が多くなり、これが屋根構築工程を複雑化し、コストアップの原因となっていた。また、強風などによって屋根板１４が吹き上る方向に圧力がかかると、この圧力は、板押面を通じて板固定子１０に伝わり、板固定子１０と板受部材６との結合部に大きな荷重がかかり、該結合部が摩耗し易いという問題点があった。又、屋根板に雨水が吹き付けると、屋根板１４上面と板押面との間から雨水が浸入し、雨水が屋根板１４の側端から裏面に伝わってしまうという問題点があった。本発明は上記問題点を解決することを目的とするものである。
【０００４】
【課題を解決するための手段】
上記目的を達成するため、本発明は、多数の溝２２が互いに平行に形成された下地材２０ｂ上に長尺状の金属板２６を多数接続配置するようにした屋根などに用いられる外囲体において、前記各金属板２６の一側部に、それらの平板部２６ａと平行な下位水平底壁部２６ｅと前記溝２２と略同一幅を存して前記平板部２６ａに対して直角に形成された一対の垂直壁部２６ｃ，２６ｄとで囲まれ上部が開放された凹入部２８と、該凹入部２８の外側端に前記平板部２６ａの同一延長平面上に形成された側板部２６ｂと、前記下位水平底壁部２６ｅの略中央に立設された立ち上り部２６ｆと、該立ち上り部２６ｆの上部に前記平板部２６ａに向けて該平板部２６ａの延長平面上に屈折形成され先端が所定の隙間（Ｇ）を存して前記平板部２６ａの側端部に対向する板端受部２６ｇとを前記平板部２６ａと一体的に設け、前記各金属板２６の他側部に、前記平板部２６ａに対して下向き垂直に屈折した垂直板部２６ｈと該垂直板部２６ｈの下部にこれとの間でＶ字状を形成するように斜め内側上方に屈折させた引掛部２６ｉと、前記垂直板部２６ｈを境として前記平板部２６ａの延長線上に所定長さ突出させた突出部２６ｊとを一体的に設け、前記下地材２０ｂの溝２２に金属板２６の前記凹入部２８を嵌合して該金属板２６を下地材２０ｂ上に載置し且つ該金属板２６の側板部２６ｂを止着具によって下地材２０ｂに固定する一方、該金属板２６に隣接して他の同一形状の金属板２６を下地材２０ｂ上に配置し、該他の金属板２６の他側部の引掛部２６ｉをこれに隣接する金属板２６の凹入部２８上の隙間（Ｇ）から該凹入部２８内に押し込んで嵌め込み、前記他の金属板２６の引掛部２６ｉの先端を隣接する金属板２６の板端受部２６ｇの下面に係合させ、前記突出部２６ｊの下面を前記隣接する金属板２６の平板部２６ａの上面に重ねて当接配置させるようにしたものである。
また、前記引掛部２６ｉを前記隙間（Ｇ）から凹入部２８内に押し込んで嵌め込んだとき、引掛部２６ｉとの間でＶ字状部３０を形成する垂直板部２６ｈの下端が前記凹入部２８の底面に当接するようにしたものである。
また、前記隣接する金属板２６の平板部２６ａに段差ｋを設けて段差面２６ａ’を形成し、該平板部２６ａの段差面２６ａ’に前記突出部２６ｊを重ねて嵌合配置し、前記突出部２６ｊの上面と隣接する金属板２６の平板部２６ａの上面とを同一平面上に配置したものである。
【０００５】
【発明の実施の形態】
以下に本発明の構成を添付図面に示す外囲体を屋根として用いた実施形態を参照して詳細に説明する。
図１において、１６は垂木であり、建物２４の梁１８の上に並列状に固設されている。これら垂木１６の上には合板からなる下部下地材２０ａが配設固定され、該下部下地材２０ａの上に複数の上部下地材２０ｂが固設されている。上記下地材２０ｂの境界には、隣接する垂木１６間の間隔に相当する溝２２が縦方向に複数形成されている。
【０００６】
２６は幅広な帯状の鋼板あるいは銅板等から構成された金属板であり、複数用意されている。各々の金属板２６の一側部には、その平板部２６ａと同一延長平面上に位置する所定幅の側板部２６ｂと、平板部２６ａ及び側板部２６ｂに対して垂直な垂直壁部２６ｃ，２６ｄと、これら垂直壁部２６ｃ，２６ｄ間に位置する下位水平底壁部２６ｅと、この下位水平底壁部２６ｅの中央に垂直に立設された立ち上り部２６ｆと、この立ち上り部２６ｆの上部に９０度屈折して形成された、平板部２６ａと同一延長平面上の板端受部２６ｇとが設けられている。
【０００７】
前記下位水平底壁部２６ｅとその両側の垂直壁部２６ｃ，２６ｄは図１中、紙面垂直方向に延びる凹入部２８を構成し、該凹入部２８は、溝２２に丁度嵌合可能な寸法に設定されている。各々の金属板２６の他側部には、平板部２６ａに対して下向き垂直な垂直板部２６ｈと、該垂直板部２６ｈとの間にＶ字を形成するように斜め内側上向きに屈折された引掛部２６ｉとが設けられている。また、金属板２６の他側部には、前記垂直板部２６ｈを境として平板部２６ａの延長線上に所定長さ突出する突出部２６ｊが設けられている。
【０００８】
前記垂直板部２６ｈと引掛部２６ｉとで構成されるＶ字状部３０は、その幅が、前記板端受部２６ｇの端部と平板部２６ａの端部との間の隙間Ｇより大きく、且つ、該隙間ＧにＶ字状部３０の弾力に抗して圧入し得る程度に設定されている。
前記上部下地材２０ｂ上及び溝２２内には、断熱防水シート３２が敷設されている。３４は係止金具であり、下地材２０ｂの両側端部に配置され、釘によって、断熱防水シート３２の上から下地材２０ｂに固定されている。３６は円盤状の座金であり、その上面に接着剤が塗布される。
【０００９】
座金３６は、釘又は鋲などの止着具によって、断熱防水シート３２の上から下地材２０ｂに複数個固定されている。金属板２６は、下地材２０ｂ上に配置され、凹入部２８が溝２２に嵌入される。金属板２６の側板部２６ｂは、釘又は鋲などの止着具によって、断熱シート３２の上から下地材２６ｂに固定され、平板部２６ａは、上部下地材２６ｂ上に載置されるとともに、その下面が座金３６の上面に接着剤によって接着される。金属板２６の凹入部２８に隣接する他の金属板２６の他側部のＶ字状部３０は、対応する金属板２６の凹入部２８の隙間Ｇに圧入され、引掛部２６ｉの先端が対応する板端受部２６ｇの下面と当接係合する。
【００１０】
また、Ｖ字状部３０の下端が下位水平底壁部２６ｅの上面に当接し、且つ、突出部２６ｊが対応する金属板２６の平板部２６ａの側部上面に重ねて当接配置される。下地材２０ｂの両側端に配置される金属板２６’，２６”は、図３に示す中間部配置用の金属板２６とは形状が異なるものが使用される。下地材２６ｂの、図４上、左側端に配置される金属板２６’の左側端部には、その平板部との間にＶ字状を形成する引掛部３８が形成され、この引掛部３８を係止金具３４の水平部に嵌合させた状態で引掛部３８をつぶし、該引掛部３８を係止金具３４の水平部に固着している。
【００１１】
下地材２０ｂの図４中、左端に配置される金属板２６’の他側部の形状は、図３に示す金属板２６の他側部のＶ字状部３０の形状と同一であり、そのＶ字状部が対応する金属板２６の凹入部２８内の板端受部２６ｇに係合する。
図１中、右端に配置される金属板２６”の右側部には、引掛部４０が形成され、この引掛部４０は、下地材２０ｂの右端の係止金具３４の水平部に、下地材２０ｂの左端の金属板２６’と同じように、固着される。
【００１２】
下地材２０ｂの両側部間には多数の同一形状の金属板２６が配置され、これらは、図１に示す如く、Ｖ字状部３０と板端受部２６ｇとが互いに係合接続され、各下面が、接着剤によって座金３６に接着される。上記した構成において、金属板２６に大きな風力がかかっても、引掛部２６ｉが板端受部２６ｇの下面に当接係合しているため、金属板２６の浮き上りが阻止される。
【００１３】
また、金属板２６は、座金３６に接着剤により接着されているため、この接着力によって、金属板２６の、風力による浮き上りや、歪の発生が阻止される。
雨水は、突出部２６ｊと平板部２６ａとの重ね合い部分から隙間Ｇを通って、図１中、凹入部２８の、立ち上り部２６ｆを境として、右側の凹溝４２に浸入するが、突出部２６ｊの止水作用によって、その量はわずかである。凹溝４２に浸入した雨水は、軒先の樋に導かれる。凹溝４２に浸入した雨水は、垂直板部２６ｈによって垂直板部２６ｈから左側への流入が阻止される。この流入阻止は、凹溝４２に浸入する雨水が、突出部２６ｊの止水作用によってわずかであるため、極めて効果的に達成される。更に、雨水の金属板２６の下側への浸入は、引掛部２６ｉが板端受部２６ｇの下面に当接していることで、ここでも阻止されることになる。
【００１４】
上記実施形態では、突出部２６ｊと隣接する金属板２６の平板部２６ａとの重ね合い部分に、突出部２６ｊの厚さ分の段差が生じるが、図５に示すように、金属板２６に突出部２６ｊの厚さ分の段差ｋを設け、平板部２６と平行なそれより低い段差面２６ａ’を形成すれば、突出部２６ｊを隣接する金属板２６の側部に重ね合わせたとき、つぎ目に段差が形成されることがなく、突出部２６ｊの上面を平板部２６ａの同一平面上に配置することができる。
【００１５】
【効果】
本発明は上述の如く、下地材の溝に固設配置される板受材を金属板の一側部に一体的に形成し、この金属板の側部に他の金属板の他側部を圧入嵌め込み自在としたので、部品点数を少なくでき、コストダウンを達成することができるとともに、組み立て工程を簡略化できる等の効果が存する。
【図面の簡単な説明】
【図１】本発明である外囲体の断面図である。
【図２】外囲体の一部断面図である。
【図３】金属板の断面図である。
【図４】外囲体を屋根に用いた状態を示す外観図である。
【図５】外囲体の他の実施形態を示す断面図である。
【図６】従来技術の断面図である。
【符号の説明】
２      下地材
４      溝
６      板受部材
８      引掛爪
１０    板固定子
１２    板端受部
１４    屋根板
１６    垂木
１８    梁
２０ａ  下地材
２０ｂ  下地材
２２    溝
２４    建物
２６    金属板
２６ａ  平板部
２６ａ’  段差面
２６ｂ  側板部
２６ｃ  垂直壁部
２６ｄ  垂直壁部
２６ｅ  下位水平底壁部
２６ｆ  立ち上り部
２６ｇ  板端受部
２６ｈ  垂直板部
２６ｉ  引掛部
２６ｊ  突出部
２６ｋ  段差
２８    凹入部
３０    Ｖ字状部
３２    断熱防水シート
３４    係止金具
３６    座金
３８    引掛部
４０    引掛部
４２    凹溝
【図１】
0003627201.tif 000002
【図２】
0003627201.tif 000003
【図３】
0003627201.tif 000004
【図４】
0003627201.tif 000005
【図５】
0003627201.tif 000006
【図６】
0003627201.tif 000007